(57)【要約】  ベースと、カラムアセンブリであって、カラムアセンブリの第１の端部でベースに回転可能に接続される、カラムアセンブリと、カラムアセンブリの第２の端部に回転可能に接続されるアームと、アームに旋回可能に接続されるかごフレームと、かごフレーム内に保持される乳児用かごであって、乳児用かごは、前壁、後壁、及び２つの側壁を含み、並びに、乳児用かご内に位置する乳児への強化されたアクセスを提供すべく、前壁及び側壁のうちの少なくとも１つに沿って減少した高さの領域を有する、乳児用かごと、乳児用かごの内部に可逆的に適合するよう構成される挿入物とを含むバシネット。
2020534048.tif 000002
【特許請求の範囲】
【請求項１】
ベースと、
カラムアセンブリであって、前記カラムアセンブリの第１の端部で前記ベースに回転可能に接続される、カラムアセンブリと、
前記カラムアセンブリの第２の端部に回転可能に接続されるアームと、
前記アームに旋回可能に接続されるかごフレームと、
前記かごフレーム内に保持される乳児用かごであって、前記乳児用かごは、前壁、後壁、及び２つの側壁を有し、並びに、前記乳児用かご内に位置する乳児への強化されたアクセスを提供すべく、前記前壁及び前記側壁のうちの少なくとも１つに沿って減少した高さの領域を有する、乳児用かごと、
挿入物であって、
前記乳児用かご及び前記挿入物の上縁が前記乳児用かごのコーナーの少なくとも周囲で略連続するように、第１の位置において前記挿入物は前記減少した高さの領域をブロックし、
第２の位置において、前記挿入物は前記減少した高さの領域をブロックせず、前記乳児用かごの前記後壁及び前記２つの側壁の少なくとも一部に隣接して配置される
ように、前記乳児用かごの内部に取り外し可能に配置されるよう構成される、挿入物と
を備える、バシネット。
【請求項２】
前記乳児用かごは、ある長さ、ある幅、及びある高さを有し、
前記乳児用かごの前記側壁は、前記乳児用かごの前記幅の少なくとも半分である全高部分を有する、
請求項１に記載のバシネット。
【請求項３】
前記乳児用かごは前記かごフレームと係合するくぼみ部分を有し、前記くぼみ部分は前記乳児用かごの前記幅及び／又は前記長さから減少した幅及び／又は長さを有する、請求項２に記載のバシネット。
【請求項４】
前記乳児用かごは前記乳児用かごの前記くぼみ部分によって画定される領域内に視覚インジケータを有し、前記視覚インジケータは、前記乳児用かごが前記かごフレーム内に完全に取り付けられていないときに、ユーザに視覚表示を提供するよう配置されて構成される、請求項３に記載のバシネット。
【請求項５】
前記減少した高さの領域において、前記乳児の世話をする人が接触したとき、分散した接触点を提供すべく、前記乳児用かごの上縁が丸められる、請求項１から４のいずれか一項に記載のバシネット。
【請求項６】
前記カラムアセンブリは調整可能な長さを有し、前記カラムアセンブリの前記長さを調整することによって、前記ベースに対する前記かごフレーム及び前記乳児用かごの高さを変更する、請求項１から５のいずれか一項に記載のバシネット。
【請求項７】
前記カラムアセンブリの前記長さは、前記カラムアセンブリ内に位置する高さアジャスターの長さを変更することによって調整可能である、請求項６に記載のバシネット。
【請求項８】
前記かごフレームは、前記かごフレームを通って配線される１又は複数のケーブルによって前記高さアジャスターに接続される高さハンドルを有し、作動すると、前記高さハンドルは、前記高さアジャスターを作動させてユーザが前記カラムアセンブリの長さを変更することを可能にするよう構成される、請求項７に記載のバシネット。
【請求項９】
前記高さアジャスターは、空気が入った支柱を含む、請求項７又は８に記載のバシネット。
【請求項１０】
前記カラムアセンブリは、四角形の断面形状を有し、かつ、前記アームに固定して接続される支柱と、中空円筒の断面形状を有し、かつ、前記ベースに固定して接続される下側支持部材と、前記支柱と前記下側支持部材との間の相対的な回転運動を防ぐよう構成されるリニア軸受とを有する、請求項１に記載のバシネット。
【請求項１１】
前記下側支持部材は、前記ベースに隣接した回転ギアに固定して接続され、
前記回転ギアは、前記ベースに対して前記カラムアセンブリと共に回転可能であり、
回転ロックが前記回転ギアに隣接した位置で前記ベースにスライド可能に取り付けられ、
前記回転ロック及び前記回転ギアは互いにかみ合う歯を有し、前記回転ロックが前記回転ギアに係合しているとき、前記カラムアセンブリが前記ベースに対して回転可能に固定した状態が保持される、
請求項１０に記載のバシネット。
【請求項１２】
前記かごフレームを前記アームに接続する回転ハブを備え、前記回転ハブは、互いにかみ合って前記アームに対する前記かごフレームの旋回運動を防ぐ旋回ギア及び旋回ロックを有する、請求項１１に記載のバシネット。
【請求項１３】
前記かごフレームは、ユーザによる旋回／回転ハンドルの作動運動が、前記旋回ギアから前記旋回ロックを、及び、前記回転ギアから前記回転ロックを略同時に解除する旋回／回転ケーブルの作動を引き起こすように、前記旋回／回転ケーブルによって前記回転ロック及び前記旋回ロックに接続される少なくとも１つの前記旋回／回転ハンドルを有し、その結果、前記かごフレームが解放されて前記アームの周囲を旋回し、かつ、前記カラムアセンブリが解放されて前記ベースの周囲を略同時に回転する、請求項１２に記載のバシネット。
【請求項１４】
前記ベースは、複数の旋回可能な車輪を有し、前記複数の旋回可能な車輪の少なくとも２つは、駆動解除されない限り前記複数の旋回可能な車輪のそれぞれの車輪が回転することを防ぐ自動ロックの機能を含む、請求項１から１３のいずれか一項に記載のバシネット。
【請求項１５】
前記かごフレームは、ユーザによって作動されて前記自動ロックを解除して、前記複数の旋回可能な車輪が回転することを可能にするよう構成される車輪ハンドルを有する、請求項１４に記載のバシネット。
【請求項１６】
１又は複数の前記車輪ハンドルがユーザによって作動されない限り、少なくとも２つの前記旋回可能な車輪が回転可能に固定した状態が保持される、請求項１５に記載のバシネット。
【請求項１７】
前記車輪ハンドルのそれぞれがケーブルに接続され、それぞれのケーブルが任意の前記ケーブルから少なくとも２つの前記旋回可能な車輪に接続される出口ケーブルへの作動運動を伝達するよう構成される車輪ケーブルレジューサーに接続される、請求項１５又は１６に記載のバシネット。
【請求項１８】
前記カラムアセンブリは可変な長さを有し、前記カラムアセンブリを通るケーブルは、下側支持部材内にらせん配置でらせん状に巻かれ、前記カラムアセンブリの前記長さが変化するとき、前記らせん配置のピッチが変化する、請求項１から１７のいずれか一項に記載のバシネット。
【請求項１９】
前記カラムアセンブリに回転可能に接続される転倒防止用安全アームを備え、前記転倒防止用安全アームは前記ベースの下に位置しており、前記転倒防止用安全アームは前記カラムアセンブリが前記ベースに対して回転可能であるとき前記アームと同一平面で回転可能であり、前記転倒防止用安全アームは地面と接触するよう構成され、かつ、前記バシネットが転倒する潜在的なリスクを最小化する構造である、請求項１から１８のいずれか一項に記載のバシネット。
【請求項２０】
前記転倒防止用安全アームは、前記転倒防止用安全アームが前記ベースの長さ方向と略一直線であるとき、前記転倒防止用安全アームの遠位端が前記地面から鉛直に離れた状態で格納位置にあり、前記転倒防止用安全アームが前記ベースの前記長さ方向と略一直線でないとき、前記転倒防止用安全アームの前記遠位端が前記地面と隣接した状態で展開位置にある、請求項１９に記載のバシネット。
【請求項２１】
前記挿入物は第１のセクション及び第２のセクションを有し、前記第１のセクション及び前記第２のセクションは前記乳児用かごの前記コーナーのそれぞれに適合するよう形成される、請求項１から２０のいずれか一項に記載のバシネット。
【請求項２２】
前記第１のセクション及び前記第２のセクションは、お互いに独立して前記乳児用かごのそれぞれの前記コーナーの間で移動可能であり、前記乳児用かごのそれぞれの前記コーナーのうちの１つで前記乳児用かご内の定位置に固定される、請求項２１に記載のバシネット。
【請求項２３】
前記第２の位置において、前記挿入物は、前記乳児用かごの前記後壁及び前記２つの側壁の少なくとも一部と略同一平面である、請求項１から２２のいずれか一項に記載のバシネット。
【請求項２４】
前記バシネットに取り付ける照明装置を備える、請求項１から２３のいずれか一項に記載のバシネット。
【請求項２５】
前記照明装置は、前記乳児用かご内に配置される乳児の顔から離れて、前記乳児用かご内の中央領域に光を向けるよう構成される、請求項２４に記載のバシネット。
【発明の詳細な説明】
【技術分野】
【０００１】
［関連出願の相互参照］
本願は、２０１７年９月１４日に出願された米国仮特許出願第６２／５５８，５３５号に基づく優先権を主張し、当該仮特許出願の開示は、その全体が参照により本明細書に組み込まれる。
【０００２】
本明細書で開示される主題は、概して、出産後の母親及び乳児のヘルスケア装置及びシステムの分野に関し、特に、病院、助産所、及び／又は、他の医療機関内の産後ユニットで用いる医療バシネットに関する。
【背景技術】
【０００３】
最近まで、健康的な正期産新生児に対する病院のケアの基準は、他の乳児と一緒の新生児室、実母から物理的に分離された環境で、産科病院のスタッフが観察して世話をすることであった。しかしながら、世界保健機関／ＵＮＩＣＥＦのレポート「母乳育児を成功させるための１０のステップ（１９８９，２００９，２０１８）」は、（複数の）乳児及び実母の両方に対する最適な健康転帰を促進すべく、一連のグローバルな証拠に基づく最良実施を制定した。これらのガイドラインは、その後、２０１１年に米国公衆衛生局長官によって、全ての米国の産科病院の施設で実施されることが推奨された。さらに、１０のステップの実施は、Ｈｅａｌｔｈｙ  Ｐｅｏｐｌｅ２０２０の目標（ＭＩＣＨ２４）である。１０のステップのうちのステップ７は、出産後のユニットルームの外で乳児又は実母の処置を可能にするように１時間の分離が割り当てられて、１日２４時間（すなわち、略連続して）母親及び新生児が一緒に「母子同室」であることに重点を置く。
【０００４】
結果として、共通の新生児室のケアの実施は、もはや推奨も促進もされない。しかしながら、米国の病院のバシネットの大多数は、まだ、出産から回復するまで可動性が制限される新米の母親による使用のためよりはむしろ、歩行可能な新生児室のスタッフによる使用のために設計されている。そのため、現在利用されている産後ユニットのバシネットは、母親−乳児の健康のニーズとの整合性に欠ける方法で設計されている。特に、現在のバシネットの設計が乳児への母親のアクセスを制限し、肉体的な怪我に乳児をさらす２つの例示的な例は、（１）母親がベッドからバシネットのかごに手を伸ばしたときに、乳児用就寝かごが母親の腕の重みで傾くこと、及び（２）乳児用就寝かごの壁の高さが、乳児へのアクセス及び安全な取り扱いを損なうことである。
【０００５】
乳児の出産後の母親の可動性の制限及び痛みが、乳児のケアを妨げ、母親自身の回復を遅らせ、乳児が落下するリスクのかなりの一因となるので、現在の利用可能バシネットの設計は、帝王切開によって出産する母に対して特に不十分である。帝王切開による出産は、現在、米国で年間１３０万の出産を占める。新米の母親に、分娩期間の直後に身体を大きくひねってバシネット内の乳児にアクセスすること、又はベッドから外に出て乳児に到達することのいずれかを要求することにより、既存の産後ユニットのバシネットの設計は、不必要ないら立ち、痛み及び／又は怪我に新米の母親をさらす。入院の間に妨げられた母親の乳児へのアクセスはまた、母乳育児を弱体化させ、これは、母親と子の両方の健康に重要であり、乳児の手掛かりの認識及び頻繁に乳児を乳房に向ける能力を要求する。実際に、従来方式で設計された出産後のバシネットを用いるとき、夜間は、毎回、乳児を抱き上げている最中に経験した母親の痛み、疲労、及び困難性に起因する最も試練に満ちた期間であり、母親は、そのような従来のバシネットを用いることで示される困難性と結び付けられているものとして、産後ユニットの母乳育児の障害をレポートする。いくつかの場合において、母親は、そのような移動の間に増加した容赦のない痛みのせいで、新生児を乳房に向ける能力が制限されていると感じたことをレポートした。
【０００６】
既存のバシネットの設計はまた、健康の公平性の課題を示す。−２４時間の支援を提供する意思も能力もある用心深い家族の一員がいない場合、新米の母親は、しばしば、乳児のおむつの交換のような、非医療的なニーズのために看護師を求める。しかしながら、出産後に傷つきやすいと感じている女性は、例えば、より低い社会経済的な背景から、又は言葉の壁の存在に起因する結果にかかわらず、必要とするケアを要求できない場合がある。新米の母親がその内在する可動性の制限に起因して医療関係者（すなわち、看護スタッフ）を呼び出すとき、看護師は、他の人の医療ニーズに応答することが遅れる場合があり、又はそうでなければ、他の人への短い医療ケアをカットする場合がある。現在の制約は、医療スタッフに実際の負担及び精神的な負担をかける。実際に、米国小児科学会（ＡＡＰ）は、最近、新たなバシネット技術を提唱した。
【０００７】
既存のバシネットの設計によって示される医原性の障害は、新米の母親が就寝中に乳児がバシネットに戻されるのではなく妊婦ベッド又は椅子に配置されることの一因となる。母子同室の間のこの対処方法は、乳児の落下及び窒息の一因となり、増加した死亡率に寄与するが、増加の程度はそのような場合の義務的なレポートの歴史的な欠如に起因して具体的には既知でない。
【０００８】
２００９年において、ＷＨＯ／ＵＮＩＣＥＦの「ベイビーフレンドリー（Ｂａｂｙ−Ｆｒｉｅｎｄｌｙ）」の称号を獲得した米国の病院は、２．９％のみだった。ヘルスケアのこの世界基準は、現在、「ベイビーフレンドリー」の称号を有する少なくとも１つの施設が全５０州に含まれる程度にまで急速に拡大した。２０１８年までに、全ての米国の病院及び助産所のうちの２６％以上が、「ベイビーフレンドリー」の称号を有する。これらの証拠に基づいた実施の重要な理解は、ベイビーフレンドリーの進展に病院施設をアシストするイニシアチブへの連邦政府投資によって支持されてきた。
【０００９】
そのため、乳児の安全でアクセス可能な睡眠位置を提供することによって、落下又は窒息のような悲劇的な有害事象に対するリスクを減らすべく、乳児と「母子同室」である新米の母親による乳児への強化した視覚的かつ物理的なアクセスを提供するニーズが、現在、存在する。さらに、典型的に、バシネットは、母親によってではなく、ベッドの隣に立っている誰かによって、ベッドの取り付け位置からベッドのそばに配置されて調整されるので、便利で安全なバシネットの使用への患者（母親）のアクセスとの関連で、満たされていないニーズが存在する。
【発明の概要】
【００１０】
いくつかの態様において、ベースと、カラムアセンブリであって、カラムアセンブリの第１の端部でベースに回転可能に接続される、カラムアセンブリと、カラムアセンブリの第２の端部に回転可能に接続されるアームと、アームに旋回可能に接続されるかごフレームと、かごフレーム内に保持される乳児用かごであって、乳児用かごは、前壁、後壁、及び２つの側壁を備え、並びに、乳児用かご内に位置する乳児への強化されたアクセスを提供すべく、前壁及び側壁のうちの少なくとも１つに沿って減少した高さの領域を有する、乳児用かごと、乳児用かごの内部に可逆的に適合するよう構成される挿入物であって、第１の位置において、挿入物の全て又はいくつかは、減少した高さの領域をブロックし得る、挿入物とを備えるバシネットが提供される。いくつかの態様において、乳児用かご及び挿入物の少なくともいくつか又は全ての上縁は、略連続して、乳児用かごの外周の周囲に均一な高さであり得、並びに、第２の位置において、挿入物は減少した高さの領域をブロックせず、乳児用かごの後壁及び２つの側壁の少なくとも一部に隣接して配置され得る。挿入物は、乳児用かご内に位置するマットレスの側縁と、乳児用かごの１又は複数の対応する壁（例えば、前壁、側壁又は後壁）との間で保持されることによって、少なくとも一部が所定の位置で維持される。いくつかの実施形態において、その上で休憩している乳児を移動する必要なく、マットレスが乳児用かご内で略固定されたままで、挿入物がアクセス位置と固定位置との間で移動され得る。
【図面の簡単な説明】
【００１１】
本主題の完全で実施可能な開示が、添付の例示的な図の参照を含む、明細書の残りの部分でさらに説明される。
【００１２】
【図１】本明細書の開示による、例えば、病院で用いるのに適したバシネットの例示的な実施形態の等角図である。
【００１３】
【図２】本明細書の開示による、図１に示されるバシネットの側面図である。
【００１４】
【図３】本明細書の開示による、図１に示されるバシネットのベースの等角図である。
【００１５】
【図４】本明細書の開示による、図１に示される、バシネットのカラムアセンブリの内部部分の側面図である。
【００１６】
【図５】本明細書の開示による、バシネットの支柱と連動するリニア軸受を示す、図４に示されるカラムアセンブリの内部部分の図である。
【００１７】
【図６】本明細書の開示による、図４及び図５に示されるリニア軸受の等角図である。
【００１８】
【図７】本明細書の開示による、図４に示されるカラムアセンブリの一部、特に、支柱ポジショナーの等角図である。
【００１９】
【図８】本明細書の開示による、図４に示されるリニア軸受及び支柱を鉛直に通る内部図である。
【００２０】
【図９】本明細書の開示による、回転ロックシステムを含む、カラムアセンブリの部分図である。
【００２１】
【図１０】本明細書の開示による、ベースに対してある角度だけ回転している回転アーム及びカラムアセンブリを有する、図１に示されるバシネットの等角図である。
【００２２】
【図１１】本明細書の開示による、格納位置に転倒防止用安全アームを有する、図１に示されるバシネットのベースの側面図である。
【００２３】
【図１２】本明細書の開示による、展開位置に転倒防止用安全アームを有する、図１に示されるバシネットの部分図である。
【００２４】
【図１３】本明細書の開示による、図１に示されるバシネットのベース及びカラムアセンブリの部分図である。
【００２５】
【図１４】本明細書の開示による、ベース及びカラムアセンブリの構成要素の立体分解図である。
【図１５】本明細書の開示による、ベース及びカラムアセンブリの構成要素の立体分解図である。
【００２６】
【図１６】本明細書の開示による、図１に示されるバシネットの乳児用かご及びかごフレームの部分上面図である。
【図１７】本明細書の開示による、図１に示されるバシネットの乳児用かご及びかごフレームの部分上面図である。
【００２７】
【図１８】本明細書の開示による、ベースに対してある角度で配置されている回転アームを有する、図１に示されるバシネットの正面図である。
【００２８】
【図１９】本明細書の開示による、図１８に示される構成のバシネットの等角図である。
【００２９】
【図２０】本明細書の開示による、図１に示されるバシネットのかごフレーム及び回転アーム内で作動ケーブルのための配線経路の略図である。
【００３０】
【図２１】本明細書の開示による、図１に示されるバシネットのカラムアセンブリ及びベースを通る作動ケーブルの配線経路の略図である。
【００３１】
【図２２】本明細書の開示による、リニア軸受を通る概略上面図であり、そこを通る作動ケーブルのための入口領域及び出口領域を示す。
【００３２】
【図２３】本明細書の開示による、ベースに対して回転する回転アームを有する、図１に示されるバシネットの上面図である。
【００３３】
【図２４Ａ】本明細書の開示による、ベースに対して様々な回転可能な位置における、図１に示されるバシネットの回転アームを示す等角図である。
【図２４Ｂ】本明細書の開示による、ベースに対して様々な回転可能な位置における、図１に示されるバシネットの回転アームを示す等角図である。
【図２４Ｃ】本明細書の開示による、ベースに対して様々な回転可能な位置における、図１に示されるバシネットの回転アームを示す等角図である。
【図２４Ｄ】本明細書の開示による、ベースに対して様々な回転可能な位置における、図１に示されるバシネットの回転アームを示す等角図である。
【図２４Ｅ】本明細書の開示による、ベースに対して様々な回転可能な位置における、図１に示されるバシネットの回転アームを示す等角図である。
【００３４】
【図２５】本明細書の開示による、図１に示されるバシネットの等角図である。
【００３５】
【図２６】本明細書の開示による、カラムアセンブリ、回転アーム、かごフレーム、及び乳児用かごを示す、図１に示されるバシネットの等角部分図である。
【００３６】
【図２７】本明細書の開示による、図１に示されるバシネットのかごフレームの部分図である。
【００３７】
【図２８】本明細書の開示による、図１に示されるバシネットの上面図である。
【００３８】
【図２９】本明細書の開示による、ベースに対して回転する回転アーム及び回転アームに対して回転するかごフレームを有する、図１に示されるバシネットの上面図である。
【００３９】
【図３０Ａ】本明細書の開示による、回転アームに対して様々な回転可能な位置における、図１に示されるバシネットのかごフレームを示す等角図である。
【図３０Ｂ】本明細書の開示による、回転アームに対して様々な回転可能な位置における、図１に示されるバシネットのかごフレームを示す等角図である。
【図３０Ｃ】本明細書の開示による、回転アームに対して様々な回転可能な位置における、図１に示されるバシネットのかごフレームを示す等角図である。
【図３０Ｄ】本明細書の開示による、回転アームに対して様々な回転可能な位置における、図１に示されるバシネットのかごフレームを示す等角図である。
【００４０】
【図３１】本明細書の開示による、図１のバシネットの乳児用かごの等角図である。
【００４１】
【図３２】本明細書の開示による、図１のバシネットの乳児用かごの側面図である。
【００４２】
【図３３】本明細書の開示による、図１に示されるバシネットの等角図である。
【００４３】
【図３４】本明細書の開示による、図１に示されるバシネットの部分図である。
【００４４】
【図３５】本明細書の開示による、挿入物がその内に配置される、図１のバシネットの乳児用かごの等角図である。
【００４５】
【図３６Ａ】本明細書の開示による、挿入物がその内に配置される、図１のバシネットの乳児用かごの正面図である。
【００４６】
【図３６Ｂ】本明細書の開示による、かごフレームに対して不完全な位置で取り付けられ、その結果、視覚インジケータが見えてかごフレーム内の不完全又は不適切な乳児用かごの配置をユーザに警告する図１のバシネットの乳児用かごの等角図である。
【００４７】
【図３７】本明細書の開示による、第１の位置及び第２の位置に示される、ツーピースの挿入物のさらなる例示的な実施形態を有する、図１のバシネットの乳児用かご及びかごフレームの等角図である。
【図３８】本明細書の開示による、第１の位置及び第２の位置に示される、ツーピースの挿入物のさらなる例示的な実施形態を有する、図１のバシネットの乳児用かご及びかごフレームの等角図である。
【図３９】本明細書の開示による、第１の位置及び第２の位置に示される、ツーピースの挿入物のさらなる例示的な実施形態を有する、図１のバシネットの乳児用かご及びかごフレームの等角図である。
【図４０】本明細書の開示による、第１の位置及び第２の位置に示される、ツーピースの挿入物のさらなる例示的な実施形態を有する、図１のバシネットの乳児用かご及びかごフレームの等角図である。
【００４８】
【図４１】本明細書の開示による、乳児用かご内で挿入物を固定すべく、乳児用かご内で配置されたマットレスを示す、図３７のかごフレームの乳児用かごの等角図である。
【００４９】
【図４２】本明細書の開示による、バシネットに取り付けた照明装置を有する実施形態に従う図１のバシネットの等角図である。
【図４３】本明細書の開示による、バシネットに取り付けた照明装置を有する実施形態に従う図１のバシネットの等角図である。
【発明を実施するための形態】
【００５０】
病院、助産所又は他の妊産婦保健医療環境で用いるのに適したバシネットの例示的な実施形態が図で示されており、これは、以下の非限定な方法でさらに説明されるだろう。示される実施形態において、バシネットは、ベースと、ベースに接続されるカラムアセンブリと、カラムアセンブリに接続されるアームと、アームに接続されるかごフレームと、かごフレーム内で取り外し可能に収容される乳児用かごとを備える。いくつかの実施形態において、アーム、かごフレーム、及び乳児用かごの高さは可変であり、例えば、ベース及び可動性のバシネットが支持される面（例えば、フロア）に対して事前に定義された高さの範囲にわたって、立った姿勢又は座った姿勢からユーザによって手動で選択可能である。いくつかの実施形態において、アームは、可動性のバシネットのベースに対して事前に定義された範囲の回転運動で回転するよう構成される回転アームである。いくつかの実施形態において、かごフレームは、アームに対して回転するよう構成される。いくつかの実施形態において、ベースがなくて、かつ、例えば、バシネットに対して完全な支持を提供する、例えば、病院又は他の助産所の産後ユニットルーム内の病院のベッドのような、任意の適切な移動不可能な構造のような、他の構造と交換されてよく、その結果、バシネットはもはや支持構造から独立して移動できないが、それに対して回転可能である。これらの特徴は、本明細書の開示された主題の範囲から逸脱することなく、任意の組み合わせで組み合わされることが可能である。
【００５１】
図１及び図２において、概して１で示される可動性のバシネットの例示的な実施形態が示される。バシネット１は、概して１００で示されるベースと、概して２００で示され、ベース１００に取り付けられるカラムアセンブリと、概して３００で示され、カラムアセンブリ２００に回転可能に接続されるアームと、概して４００で示され、アームに回転可能に接続されるかごフレームと、概して５００で示され、かごフレーム４００のくぼみ部分内に取り外し可能に収容される乳児用かごとを有する。示されるように、かごフレームは、例えば、周囲にバシネット１が移動可能に配置される、固定されたオブジェクト（例えば、病院のベッド）からの３つの回転自由度を有する。第１の回転自由度は、例えば、キャスタ（例えば、図３の１３０を参照）を用いて、固定されたオブジェクトに対して回転可能及び／又は旋回可能であるベース１００によって実現される。第２の回転自由度は、ベース１００を中心に回転可能及び／又は旋回可能であるカラムアセンブリ２００並びにアーム３００、かごフレーム４００及び乳児用かご５００によって実現される。第３の回転自由度は、アーム３００を中心に回転可能及び／又は旋回可能であるかごフレーム４００及び乳児用かご５００によって実現される。少なくともいくつかのバシネット１の構成要素は、少なくとも一時的に、３つの回転自由度によって実現される任意のそれぞれの位置で固定されること及び／又はロックされることが可能である。これらの３つの回転自由度によって、乳児用かごは、固定されたオブジェクトに対して実質的に任意のユーザが選択可能な位置に移動されることが可能である。図２において、バシネット１が、乳児用かご５００内の乳児の輸送又は活動していない期間（例えば、乳児が睡眠しているとき）のいずれかで用いられ得る位置及び構成で示される。
【００５２】
図３は、バシネット１の他の構成要素から分離されたベース１００の等角図を示す。ベース１００は、概して１１０で示され、ベースプレート１１２と、その各コーナーに取り付けた車輪マウント領域１１６とを備える本体を備え、車輪マウント領域１１６は、移行領域１１４によってベースプレート１１２に接続されている。移行領域１１４の使用は、ベースプレート１１２を車輪マウント領域１１６の高さより低くすることによって、ベース１００がより低い重心を有することを可能にし、これは、概して、所定の用途のために選択された車輪１３０の物理的寸法によって決定される。一例として、より硬い車輪１３０、例えば、プラスチック又は固形ゴムで作られている車輪が、典型的な米国の病院内で見られる表面のような滑らかな表面上でのみ用いられるバシネット用に選択され得る一方で、任意の典型的な表面（例えば、舗装された表面）で乳児を輸送するのに用いられるバシネット用の空気が入ったキャスタ又は他の車輪１３０を使用することが有利である場合がある。概して、空気が入った車輪は、硬いプラスチック又はゴムのキャスタ車輪より大きな直径を有し、その結果、車輪マウント領域１１６とベースプレート１１２との間の高度差は、バシネットのベース１００上に取り付ける車輪１３０のタイプに基づいて選択され得る。ベース１００は、（例えば、ロックレバーを足で作動することによって）手動でロック可能であり得、軸を中心に方向Ｒ１に回転可能である手動又は前輪１３４を含み得る。ベース１００はまた、自動ロック機能を有し得る後輪１３２を有し、その結果、それらは、自動ロックがユーザによって解放されるときにだけ回転し、ユーザが自動ロックの解放を解除したときに自動ロックし、又は、そうでなければ、ベースは、代わりに、任意の適切な構造で固定位置に自動ロックすることなく固定され得る。また、ベース１００が任意のロック機能を有しないことは可能である。後輪１３２は、前輪１３４についてＲ１で示されるように旋回し得、又は回転可能に固定され得る。示される実施形態において、全てのキャスタ車輪１３０は、各キャスタ車輪１３０のベース１００への取り付け位置によって画定される軸を中心に方向Ｒ１に回転可能である。バシネットが動いている間、車輪１３０の移動を防ぐべく、各車輪１３０は、例えば、ある角度の状態で又は回転可能な状態で固定位置に個別にロックされ得る。各車輪１３０はまた、必要に応じてシュラウド又は他のカバーを含み得る。ベース１００は、カラムアセンブリ２００をベース１００に取り付けるために、その内に孔１２０を有する。
【００５３】
図４において、その内部構造を明確に説明すべく、外部構造／クラッディング部材が除外されている状態のカラムアセンブリ２００の内部図が示される。カラムサポート２５０がバシネットのベース１００（図３参照）に取り付けられ、カラムサポート２５０がベース１００に対して固定した状態で保持されるように、ベース１００に固定される。高さアジャスター２５２が、その第１の端部でベース１００に取り付けられ、その第２の端部で支柱２３０に取り付けられる。高さアジャスター２５２は、アーム３００が事前に定義された範囲の高さの値内でベース１００に対する複数の高さのうちの１つでセットされることを可能にする。アームカラー３２０によって支柱２３０がその第１の端部でアーム３００に接続され、これは、支柱２３０の周囲にしっかりとクランプされてアーム３００と支柱２３０との間の相対的な角回転を防ぐ。支柱２３０は、概して２１０で示されるリニア軸受を通る。リニア軸受は、四角形の横断面を有する支柱２３０と円形の下側支持部材２３６（図１０参照）との間の相対的な回転運動を防ぐよう構成される。支柱２３０は、概して２４０で示され、その第２の端部に取り付けられる支柱ポジショナーを有する。支柱ポジショナー２４０は、下側支持部材２３６の内面に合った断面形状を有する。支柱２３０が２つの位置で下側支持部材２３６に接続されるので、乳児用かごの不必要な移動（例えば、「揺動」）が最小化される。いくつかの実施形態において、支柱２３０は、空気が入った円筒であり得る高さアジャスターの作動によって鉛直に移動する。
【００５４】
リニア軸受２１０が、図５〜図８でより詳細に示される。リニア軸受２１０は、単一のハウジングの継ぎ目２１４を有する単一の部品として、又は、２つのハウジングの縫い目２１４を画定すべく、支柱２３０の周囲に取り付けられる（例えば、クラムシェル配置で共にヒンジで取り付けられるもの又は取り付け前にお互いに接続されていない別個の部品として）２つの別個の部品として形成され得るハウジング２１２を有する。ハウジング２１２は、下側支持部材２３６（図１０参照）に十分に類似する（例えば、同一、類似又はより大きな直径）形状を有する上方フランジ２１１を有する。ハウジング２１２が、フランジ２１１を貫通する孔２２２Ａを通る締め具２２２（例えば、ねじ）によって下側支持部材２３６に接続される。少なくとも１つの（例えば、複数の）上方ローラー２１８は、ハウジング２１２から上方に延びており、支柱２３０のそれぞれの側面に配置される。少なくとも１つの（例えば、複数の）下方ローラー２２０は、ハウジング２１２から下方に延びており、支柱２３０のそれぞれの側面に配置される。上方ローラー２１８及び下方ローラー２２０は、それぞれ、形成された貫通孔を有する支持部材２１８Ａ及び支持部材２２０Ａでそれぞれハウジング２１２に取り付けられる。支柱２３０の表面に対して少なくとも部分的に圧縮されて支柱２３０の周囲のリニア軸受２１０の取り付けにおける陽圧を保証すべく、上方ローラー２１８及び下方ローラー２２０は、それぞれ、適切なデュロメーターを有する材料で作られ得る。リニア軸受２１０は、ねじタイプであり得る１又は複数のクランプ締め具２１６によって、支柱２３０の周囲に固定される。リニア軸受２１０は、支柱２３０がリニア軸受２１０を介して、かつ、リニア軸受２１０に対して鉛直に移動するように構成される。空洞２２４が、リニア軸受２１０の（例えば、鉛直方向における）厚さを通って形成される。空洞２２４は、支柱２３０の断面形状と少なくとも同じ大きさである断面形状及び輪郭を有するが、好ましくは、支柱２３０より大きな断面領域を有する。
【００５５】
図７は、下側支持部材２３６（図１０参照）の内面と略同一である、円筒形のディスクの形状の外周を有する支柱ポジショナー２４０を示し、これは、本実施形態では中空の円筒部材の形態で示される。支柱ポジショナー２４０は、支柱ポジショナー２４０が接続される支柱２３０の第２の端部（図４参照）と同一のサイズである形状（例えば、「フットプリント（ｆｏｏｔｐｒｉｎｔ）」）を有するくぼみ２４２を有する又は画定する。くぼみ２４２の外周及び内周は、それらの間の距離が支柱２３０の外壁の厚さと少なくとも同じ厚さであるように形作られる。示される実施形態において、支柱ポジショナー２４０は、ねじ状部材を概して２４６で示されるそれぞれの固定孔から支柱ポジショナー２４０の少なくとも２つの対向する側面上の概して２４７で示されるねじ状収容器に通すことによって、支柱２３０に固定される。支柱ポジショナー２４０は、支柱ポジショナー２４０の厚さを通って形成される、概して２４４で示される少なくとも１又は複数ケーブルガイド孔を有する。示される実施形態において、複数の（例えば、４つの）ケーブルガイド孔２４４が提供され、支柱ポジショナー２４０の中央部分内の上面から下面へ通る。これらのケーブルガイド孔２４４は、支柱２３０の延長方向と略平行な鉛直軸に対してある角度で傾いている。下側支持部材２３６内でらせん状に巻かれた構成で作動ケーブルが保持され得るように、ケーブルガイド孔２４４のこの傾きは、半径方向の傾き成分を有して、そこを通る作動ケーブルに湾曲又は巻き型を与えてよい（図２１参照）。概して２４８で示される中央開口部は、高さアジャスター２５２（図１０参照）がそこを通って支柱２３０に固定され得るように形成されて構成される。いくつかの実施形態において、孔が、高さアジャスターを支柱２３０に固定するための固定孔２４６に整合されるだろう高さアジャスター２５２を通って形成され得る。そのような実施形態において、接続ロッドがそこを通って自由に延びて支柱２３０、支柱ポジショナー２４０、及び高さアジャスター２５２を相互接続し得るように、収容器２４７は、ねじ状でなくてよい。
【００５６】
高さアジャスター２５２が、回転ギア２６０に固定して接続され、その結果、例えば、ねじ状部材によって一緒に回転可能にロックされるものとして、図９に示される。回転ギア２６０は、歯のある領域２６２（図１２参照）によって画定される事前に定義された範囲の回転運動を有する。示される実施形態において、回転ギア２６０は、公称（すなわち、「０°」）位置から±１３５°の最大動作範囲を有する。カラムアセンブリ２００は、ベース１００の下に配置される第１の部品及びベース１００の上に配置される第２の部品を有するツーピース構造を有するサンドイッチ部材の形態で（例えば、孔１２０で、図３参照）ベース１００に取り付けるカラー２８０によってベースに固定される。カラー２８０は、ベース１００に対してカラムアセンブリ２００の滑らかな回転運動のための回転軸受の形態であり得る。いくつかの実施形態において、軸受がカラー２８０とは別に提供され得る。安全カラー２８０がカラムアセンブリ２００の底部で提供され、回転可能にロックされてカラムアセンブリ２００の他の構成要素と共に移動する。
【００５７】
ベース１００に対するアーム３００及びカラムアセンブリ２００の回転が図１０に示され、この図において回転方向がＲ２で示されている。カラムアセンブリ２００の内部の構成要素が、主に装飾的な、非耐力部材である上側支持シュラウド２３８によって、及び、回転ギア２６０に頑固に取り付けられてそれらの間の相対的な角運動を防ぐカラムサポート２５０を通る下側支持部材２３６によって、この図では隠されている。転倒防止用安全アーム２９０が回転、展開位置で示され、整合されてアーム３００と共に半径方向に移動し、その結果、アーム３００及び転倒防止用安全アーム２９０は、共通平面で整合される。
【００５８】
図１１〜図１５は、格納位置及び展開位置における転倒防止用安全アーム２９０を示す。図１１において、転倒防止用安全アーム２９０が格納位置に配置される。転倒防止用安全アーム２９０は、その遠位端に、例えば、ゴム又は十分なデュロメーターの任意の材料で作られ得る滑り止めフーチング２９８を備え得る。転倒防止用安全アーム２９０は、転倒防止用安全アーム２９０の近位端で転倒防止用安全アームのマウント２９２に固定されることによって、回転可能にロックされ、カラムアセンブリの回転運動と共に移動する。転倒防止用安全アーム２９０はまた、転倒防止用安全アーム２９０の近位端に隣接して取り付けた作動部材２９４を有する。作動ディスク２９６がベース１００の底面上に弧の形態で提供され、作動部材２９４が転倒防止用安全アーム２９０上に配置されて作動ディスクと連動する。作動ディスクは、中央位置で減少した高さを有し、その結果、上方向（例えば、ベース１００に）にばねでバイアスがかけられている転倒防止用安全アーム２９０は、作動部材２９４が作動ディスクの減少した高さ領域内に位置するときに、格納位置に移動する。同様に、カラムアセンブリ２００及び転倒防止用安全アーム２９０が公称位置から回転するとき、作動部材２９４が回転し、作動ディスク２９６の増加した厚さによって、公称位置から離れて鉛直方向下側にずらされる。示される実施形態において、作動ディスク２９６は、作動ディスク２９６によって画定される弧の端に配置される回転止め具要素２９６Ａを有し、安全ディスクの境界を越えた転倒防止用安全アーム２９０の過度な移動を防ぐ。いくつかの実施形態において、回転止め具要素２９６Ａが、カラムアセンブリ２００及びアーム３００の最大回転量を画定し、ベース１００に対するこれらの過度な回転を防ぐのに用いられ得る。カラムアセンブリ２００及びアーム３００の角度位置が、回転ロック２７０を回転ギア２６０の歯部分２６２と係合することによって維持される。回転ロック２７０がスロット１１１（図１０参照）でベース１００にスライド可能に取り付ける。回転ギア２６０から離れて半径方向に移動するよう回転ロック２７０をスライド可能に作動させることによって、ベース１００に対してカラムアセンブリ２００及びアーム３００を回転させることが可能である。回転ロック２７０が回転ギア２６０の歯部分２６２とスライド可能に再係合されると、ベース１００とカラムアセンブリ２００との間の相対的な角運動が防がれる。回転ロック２７０及び回転ギア２６０は、相補的（例えば、共にかみ合う形状及びサイズを有する）である、それらに形成された互いにかみ合うギアの歯を有する。ベース１００に対するカラムアセンブリ２００の回転運動の細かさは、回転ギア２６０及び回転ロック２７０のギアの歯のサイズ及びピッチによって決定される。図１４及び図１５は、ベース１００と係合し、ベース１００に対して回転運動することが可能なカラムアセンブリ２００の構成要素の立体分解図である。
【００５９】
図１６及び図１７は、概して４１０で示され、かごフレーム４００に取り付ける車輪ハンドルを示す。車輪ハンドル４１０は、後輪１３２（例えば、図２１参照）の機能の自動ロックを解除することを制御し、バシネット１の移動、例えば、乳児の輸送、又は、病院のベッドのような、略固定されたオブジェクトに対するバシネット１の配置を可能にする。単一の車輪ハンドル４１０のみが提供され得る一方で、この実施形態において、かごフレーム４００は、複数の車輪ハンドル４１０、特に、４つの車輪ハンドル４１０を備え、複数の車輪ハンドル４１０のそれぞれが、略矩形の周囲形状を有するかごフレーム４００のコーナーに配置される。各第１のハンドルは、ハンドルグリップ４１２及びハンドルドリップ４１２内に拘束されているアクチュエータ４１４を有する。アクチュエータ４１４は、ユーザによってハンドルグリップ４１２に圧迫されるとき、ヒンジ４１６を中心に旋回する。そのため、アクチュエータ４１４は、ヒンジ４１６に対して円周方向に向けられたＲ３方向に移動する。第１のハンドルは、かごフレーム４００に一体的形成されてよく、又は、かごフレーム４００に取り外し可能に取り付けてよい。車輪ハンドル４１０の動作は、以下の図２０及び図２１に関連してさらに記載される。
【００６０】
図１７〜図１９は、かごフレーム４００の一部として、概して４３０で示される旋回／回転ハンドル及び概して４５０で示される高さハンドルを示す。旋回／回転ハンドル４３０及び高さハンドル４５０のそれぞれが、かごフレーム４００の一部として一体的に形成されるが、いくつかの実施形態において、一方又は両方が、かごフレーム４００に取り外し可能に取り付けられ又は固定されてよい。いくつかの実施形態において、単一の旋回／回転ハンドル４３０及び単一の高さハンドル４５０のみが提供され得る一方で、示される例示的な実施形態において、複数の旋回／回転ハンドル４３０及び複数の高さハンドル４５０がかごフレーム４００の一部として提供される。特に、２つの旋回／回転ハンドル４３０及び２つの高さハンドル４５０が提供される。２つの旋回／回転ハンドル４３０が、かごフレーム４００の対向する側面／端に配置されるものとして示され、旋回／回転ハンドル４３０が配置されるかごフレーム４００の側面／端は、乳児が取り出される又は乳児用かご５００内に配置されるバシネット１の側面（例えば、かごフレーム４００の長い側面）である。２つの高さハンドル４５０が、かごフレーム４００の対向する側面／端に配置されるものとして示され、高さハンドル４５０が配置されるかごフレーム４００の側面／端は、乳児が乳児用かご５００内にいるときに乳児の頭又は足が隣接しているバシネット１の側面（例えば、かごフレーム４００の短い側面）である。車輪ハンドル４１０、旋回／回転ハンドル４３０及び高さハンドル４５０に関して上記で説明された数及び位置が、単に例示的なものに過ぎす、本明細書で開示された主題の範囲から逸脱することなく、これらのハンドルが任意の位置及び数で組み合わされてよい。
【００６１】
旋回／回転ハンドル４３０は、かごフレーム４００の対向する長い縁の長さに沿ってかごフレーム４００に形成されるグリップ４３２を有する。例えば、新米の母親のような、体の不自由なユーザによってより簡単にアクセス可能であるので、旋回／回転ハンドルのこの位置は、有利であると考えられる。グリップ４３２の下に位置するのは、グリップ４３２を保持しながらグリップ４３２の周縁に作動バー４３４を引くことによって、ユーザが直線的に作動させることができる１又は複数の作動バー４３４である。作動バー４３４は、作動すると、かごフレーム４００及び乳児用かご５００がアーム３００の略円形のハブ３１０を中心に回転及び／又は旋回することを同時に可能にしつつ、カラムアセンブリ２００及びアーム３００がベース１００に対して回転することを可能にする。この実施形態において、カラー２５０は、ベース１００に対して回転しないが、代わりにそこに固く取り付けられ、その結果、下側支持部材２３６がカラー２５０内で回転する。示される実施形態において、旋回／回転ハンドル４３０は、単一のステージ作動を有し、その結果、アーム３００及びカラムアセンブリ２００の回転運動、並びにかごフレーム４００及び乳児用かご５００の旋回運動が、略同時に駆動される。しかしながら、いくつかの実施形態において、旋回／回転ハンドル４３０は、２つのステージ作動を有してよく、その結果、かごフレーム４００及び乳児用かご５００の旋回運動が、アーム３００及びカラムアセンブリ２００の回転運動が駆動されるより前に駆動され、その結果、かごフレーム４００及び乳児用かご５００の旋回運動が、アーム３００及びカラムアセンブリ２００の回転運動を作動させるのに必要なものより少ない程度の作動バー４３４の移動で駆動される。その逆もまた当てはまり、その結果、アーム３００及びカラムアセンブリ２００の回転運動が、かごフレーム４００及び乳児用かご５００の旋回運動より前に駆動され得る。いくつかのさらなる実施形態において、アーム３００及びカラムアセンブリ２００の回転運動、並びにかごフレーム４００及び乳児用かご５００の旋回運動は、物理的に分離した一連のハンドルによってそれぞれ制御され得る。これらの物理的に分離した一連のハンドルは、共通のグリップ又は分離したグリップを有し得る。
【００６２】
高さハンドル４５０は、かごフレーム４００の対向する短い縁の長さに沿ってかごフレーム４００に形成されるグリップ４５２を有する。グリップ４５２の下に位置するのは、グリップ４５２を保持しながらグリップ４５２の周縁に作動タブ４５４を引くことによって、ユーザが直線的に作動させることができる１又は複数の作動タブ４５４である。高さハンドル４５０は、それらが車輪ハンドル４１０と同一の縁上にあるので、旋回／回転ハンドル４３０と比較してかなり減少した幅を有する。作動タブ４５４は、作動すると、ユーザがカラムアセンブリ２００の長さ、したがって、例えば、地面で支持されているベース１００の表面に対するかごフレーム４００及び乳児用かご５００の高さを増加又は減少させることを可能にする高さアジャスター２５２（例えば、図４参照）の作動を可能にする。上側支持シュラウド２３８は、下側支持部材２３６の外周の上及び／又は周囲を鉛直にスライドする。いくつかの実施形態において、より低い鉛直方向の止め具が上側支持シュラウド２３８の長さに基づいて選択され得、その結果、上側支持シュラウド２３８は、バシネット１の最小の動作可能な高さでカラー２５０と接する。バシネット１の最大の動作可能な高さで、下側支持部材２３６の少なくとも一部の周囲に円周方向に係合されたままであるように、上側支持シュラウド２３８の長さが選択される。この機能は、見た目の良さと機能性を兼ねて、リニア軸受２１０（図４〜図８参照）を隠すことと、上側支持シュラウド２３８及び下側支持部材２３６が使用中に分離することができ、かつ、お互いに対する十分に正確な整合を維持しない場合に、バシネットのバインディング又はジャムを引き起こし得る、上側支持シュラウド２３８及び下側支持部材２３６の円周方向の整合を維持するのに整合機能が必要ないことを保証することを兼ねている。
【００６３】
ハブ３１０は、略円形の形状を有し、車輪ハンドル４１０、旋回／回転ハンドル４３０、及び高さハンドル４５０の作動が記載された機能をそれぞれ実現するのに必要なケーブルに対する十分なケーブル管理を可能にする壁、保持クリップ、及び同類のもののような、ケーブルガイド機能を除いて、略中空である。ハブ３１０は、かごフレーム４００の対応する表面に接続される十分に開放した上面を有し、これは、図２０に関してより詳細に示されて説明されるだろう。図１９は、転倒防止用安全アーム２９０がアーム３００及びカラムアセンブリ２００の回転運動から選択的に解除されることが可能であるバシネットの代替的な実施形態を示す。
【００６４】
図２０〜図２２は、かごフレーム４００内に提供される複数のハンドル４１０、４３０、４５０のケーブル配線の様々な態様を示す。かごフレーム４００は、アーム３００のハブ３１０に取り付けられて、作動ケーブルが外部に見えることなく配線され得る略囲まれた領域をもたらす中央ハブ４７２を有する。かごフレーム４００は、そこを通って配線されるケーブルが、外部にアクセスできない又は見えないように、全体的に囲まれ得る側面のリブ４７０Ａ、４７０Ｂによってハブ４７２に接続される、少なくとも一部が中空の外周部分を有する。かごフレーム４００及び乳児用かご５００の旋回運動、並びにアーム３００の回転運動を可能にすると、それぞれの角運動の最大角度（示される実施形態において、両方が、「０°」の中央位置又は公称位置から±１３５°回転／旋回することが可能である。）をこえて同時に発生する。
【００６５】
後輪１３２（例えば、図３参照）がロックされないように、アクチュエータ４１４が第１の車輪ケーブル４１８に接続されて、アクチュエータ４１４がヒンジ４１６を中心に旋回するにつれて第１の車輪ケーブル４１８を引く。第１の車輪ケーブル４１８が、アクチュエータ４１４が圧迫されるときに略固定して及び／又は第１の車輪ケーブルが引かれる方向に少しだけ直線運動するように保持されるよう構成される第１の車輪ケーブルインターフェース４２０に接続される。第１の車輪ケーブルインターフェース４２０が、任意の第２の車輪ケーブル４２２が車輪ケーブルレジューサー４２４に作動運動を伝達するときに、複数の第２の車輪ケーブル４２２からの入力を受け付けて、出力として第３の車輪ケーブル４２６を作動させるよう構成される車輪ケーブルレジューサー４２４に延び、かつ、車輪ケーブルレジューサー４２４に接続される第２の車輪ケーブル４２２に接続される。第３の車輪ケーブル４２６が、ハブ４７２及びハブ３１０とアーム３００とを通って、中間ターミナル４２８でカラムアセンブリ２００に配線される。中間ターミナル４２８から、第３の車輪ケーブル４２６が、例えば、支柱２３０、リニア軸受２１０、支柱ポジショナー２４０、及び回転ギア２６０を通ることを含む、カラムアセンブリ２００を通って鉛直に配線されてベース１００の底面から出力され、並びに、作動すると、バシネット１が移動できるようにすべく、各後輪１３２のロックが解除されるように各後輪１３２に接続される。
【００６６】
かごフレーム４００及びアーム３００のそれぞれの旋回及び回転運動について、各アクチュエータバー４３４が第１の旋回ケーブル４３８に接続されて、アクチュエータバー４３４がグリップ４３２の外周方向に移動するにつれて第１の旋回ケーブル４３８を引く。第１の旋回ケーブル４３８は、ハブ３１０、ハブ４７２を通って、かごフレーム４００の外周部分を通って旋回ケーブルレジューサー４４０に向けられる。旋回ケーブルレジューサー４４０は、その入力側面に取り付けられた複数の第１の旋回ケーブル４３８のいずれかから入力された作動を受け付けるとき、２つの動作を同時に実行するよう構成される。ベース１００を中心としたアーム３００及びカラムアセンブリ２００の回転運動の制御に向けられる第１の態様において、旋回ケーブルレジューサー４４０は、ハブ３１０、ハブ４７２を通ってその周囲に配線されて、アーム３００に入って、中間ターミナル４４４でカラムアセンブリ２００に入ってそこを通る回転ケーブル４４２に対応する出力を伝達する。アーム３００に対するかごフレーム４００及び乳児用かご５００の旋回運動の制御に向けられる第２の態様において、旋回ケーブルレジューサー４４０は、ハブ３１０、ハブ４７２内に位置する中央の旋回ギア４７８から半径方向に離れて旋回ロック４７６を作動させて、旋回ロック４７６に対する旋回ギア４７８の回転を可能にする。第１の旋回ケーブル４３８から入力された作動がもはや旋回ケーブルレジューサーで受け付けないとき、旋回ロック４７６は戻って、ハブ４７２内のかごフレーム４００と一体的に形成され、又は、その内に固く取り付けられ、若しくは固定される旋回ギア４７８と係合し、アーム３００に対するかごフレーム４００及び乳児用かご５００の旋回運動を防ぐ。いくつかの実施形態において、旋回ギア４７８が、アーム３００のハブ３１０と一体的に形成され得、又はその内に固く取り付けられ、若しくは固定され得る。中間ターミナル４４４から、回転ケーブル４４２が、例えば、支柱２３０、リニア軸受２１０、支柱ポジショナー２４０、及び回転ギア２６０を通ることを含む、カラムアセンブリ２００を通って鉛直に配線されてベース１００の底面から出力され、並びに、作動すると、カラムアセンブリ２００及びアーム３００がベース１００に対して回転できるようにすべく、回転ロック２７０が回転ギア２６０から解除する（例えば、回転ギア２６０から半径方向に離れて移動する）ように回転ロック２７０に接続される。
【００６７】
支柱ポジショナー２４０の下の下側支持部材２３６内の領域において、第３の車輪ケーブル４２６及び第３の旋回ケーブル４４２が、鉛直方向に圧縮可能である略二重らせん配置（例えば、ばねのような形状）でらせん状に巻かれており、その結果、各らせんの各「コイル」間のピッチがカラムアセンブリ２００がセットされる高さに基づいて可変である。そのため、カラムアセンブリ２００が鉛直方向に延びるとき、各らせんが延びた状態になり、らせんのコイルがさらに離れて配置される。同様に、カラムアセンブリが鉛直方向に短くされるとき、各らせんがそれに応じて圧縮された状態になり、らせんのコイルが共により接近して配置される。
【００６８】
カラムアセンブリ２００の長さを変更することによって達成されるバシネット１の高さ調整を制御すべく、各アクチュエータタブ４５４が第１の高さ調整ケーブル４５８に接続されて、アクチュエータタブ４５４がグリップ４５２の外周の方向に移動するにつれて第１の高さ調整ケーブル４５８を引く。第１の高さ調整ケーブル４５８は、かごフレーム４００の外周部分を通って、高さ調整ケーブルレジューサー４６０に至る。高さ調整ケーブルレジューサー４６０は、第１の高さ調整ケーブル４５８のうちの１つからの入力を受け付けて、ハブ３１０、ハブ４７２に入ってその周囲を通り、かつ、カラムアセンブリ２００内の高さ調整ターミナル４６４に動作可能に接続される第２の高さ調整ケーブル４６２を介して作動運動を伝達し、その結果、高さアジャスター２５２が駆動されてカラムアセンブリの長さを変更し、それにより、かごフレーム４００及び乳児用かご５００の高さを変更する。
【００６９】
様々なケーブル配線機能が、かごフレーム４００、アーム３００、カラムアセンブリ２００、及びベース１００内に及び／又はそれら上に提供されて、適切なケーブル配線を維持して、各ケーブルの作動が各ハンドルからバシネット１内の各作動点に伝達されることを保証する。図２２において、入口領域４８０が、各作動ケーブルがそこを通り得るカラムアセンブリ２００の上部の領域（例えば、アームカラー３２０の入口、図４参照）を示している、カラムアセンブリの上面図が提供される。同様に、出口領域４８２が、各作動ケーブルがそこを通り得るカラムアセンブリ２００の底部（例えば、支柱ポジショナー２４０、図４参照）に示される。
【００７０】
回転方向がＲ２で示される、ベース１００に対するカラムアセンブリ２００、アーム３００及びかごフレーム４００の回転運動が、図２３に示される。乳児用かご５００は、かごフレーム４００の内に配置されるとき、かごフレーム４００と共に回転する。図２４Ａ〜図２４Ｅは、ベース１００に対するカラムアセンブリ２００及びアーム３００の例示的な角運動を示す。図２５〜図２８は、その機能をより明確に説明するためのバシネット１の他の図を示す。特に、かごフレーム４００は、その各コーナーにコーナーブレース４８４を有し、その内に配置されるときに乳児用かご５００を支持する。乳児用かご５００はまた、ハブ４７２、側面のリブ４７０Ａ、４７０Ｂの上面によって支持され、それにより、乳児用かご５００の底面５２０がかごフレーム４００によって支持される略平面を画定する。示される実施形態において、アーム３００に対するかごフレーム４００の移動範囲が、回転止め具４９０によって制御され、かごフレーム４００上のその位置は、一方向（例えば、時計周り又は反時計周り）における最大角回転に達したときにアーム３００と接触する回転止め具４９０によってアーム３００に対するかごフレーム４００の回転の最大角度を画定し、それにより、かごフレーム４００内に収容されてその至る所に配線される各作動ケーブルに損傷をもたらすだろうかごフレーム４００の回転運動を防ぐ。回転方向がＲ４で示される、アーム３００に対するかごフレーム４００及び乳児用かご５００の旋回運動が、図２９に示される。乳児用かご５００は、その内に配置されるとき、かごフレーム４００と共に旋回する。図３０Ａ〜図３０Ｄは、アーム３００に対するかごフレーム４００及び乳児用かご５００の例示的な角旋回運動を示す。
【００７１】
乳児用かごのいくつか機能が、図３１〜図３６Ｂに関連して示されて説明される。乳児用かご５００が、例えば、アルミニウム、プラスチック、又は任意の他の適した材料を含む、１又は複数の不透明な材料、半透明な材料、及び／又は透明な材料で作られ得る。乳児用かごは、概して５３０で示され、くぼみ部分５３０の上方の高さで測定された乳児用かご５００の外周と比較して減少した長さ及び／又は幅を有するくぼみ部分を有する。くぼみ部分５３０は、かごフレーム４００内に乳児用かご５００をより正確に保持するように、かつ、乳児用かご５００の内部のくぼみ部分５３０内に配置されるだろう標準のマットレス（例えば、図４１の７００を参照）又はパッドの形状にも適合するように提供される。いくつかの実施形態において、かごフレーム４００及び乳児用かご５００内の物理的な刻み目及び／又は突起、そこに取り付けた取り外し可能な接続クリップ並びに同類のものが、かごフレーム４００と乳児用かご５００との間の強化した物理的な互いにかみ合う係合を提供するよう提供され得る。いくつかの実施形態において、作動可能な解放がかごフレーム４００内で提供されて、解放の直接的な操作、又は例えば、任意の車輪ハンドル４１０、旋回／回転ハンドル４３０、及び／又は高さハンドル４５０に示されるタイプの遠隔的な解放のいずれかによって、解放が解除されることなく、乳児用かご５００がかごフレーム４００から分離されることを防いでよい。マットレス７００又はパッドは、例えば、くぼみ部分５３０の高さと略同一の高さを有し、乳児用かご５００の底面５２０より大きい乳児用かご５００の効果的に平らな底面を提供し得る。乳児用かごは、くぼみ部分５３０の上方に、前壁５４０及び後壁５５０によって接続された、対向する側壁５６０を有する。側壁５６０及び後壁５５０は、可動性のバシネット内の乳児の輸送に必要な全ての適用可能な安全標準を満たす高さを有する。前壁５４０は、乳児用バシネット内の乳児に増加したアクセスを提供する減少した高さを有する。前壁５４０を側壁５６０と接合するコーナー５７２において、さらに減少した高さセクション５４２が、母親又は他の世話をする人が乳児へのより簡単アクセスを有し、乳児がバシネットから母親又は他の世話をする人の腕へと安全に移行されることを保証することを可能するよう提供される。後壁５５０及び側壁５６０の上縁は、丸められた縁を有し、乳児を乳児用かご５００に配置する、又は、乳児を乳児用かご５００から取り出すときに、母親又は他の世話をする人の腕と乳児用かご５００との間のより分散した接点を提供する。コーナー５７２のそれぞれで、全体の減少した高さセクション５４２に沿って、かつ、前壁５４０の上縁に沿って、十分に丸められた縁が提供されて、乳児を乳児用かご５００に配置するとき、又は、乳児を乳児用かご５００から取り出すときに、母親又は他の世話をする人の腕と乳児用かご５００との間の最大の分散した接点を保証する。
【００７２】
乳児用かご５００は、後壁５５０及び側壁５６０の全高部分に合った挿入物５１０を有し、くぼみ部分５３０の内側の輪郭に適合する部分、及び乳児用かご５００の底面５２０に近接して（例えば、接触して）延びる部分を含む。そのため、マットレス（例えば、図４１の７００）がくぼみ部分５３０内に配置されるとき、挿入物５１０が後壁５５０及び側壁５６０に対してしっかりと保持されて、必要に応じて乳児に増加したアクセスを提供する。乳児への増加したアクセスが必要でない期間の間（例えば、乳児の睡眠及び／又は輸送の間）、挿入物５１０が第１の位置（図３４〜図３６Ａ参照）に可逆的取り付けられるよう構成され、その結果、挿入物５１０が、乳児用かご５００の前壁５４０及び側壁５６０と接触する。第２の位置（図３１及び図３２参照）において、乳児用かご５００の内部への強化されたアクセスがユーザによって要求されるときに、挿入物５１０の分離した保管位置を要求しないために、挿入物５１０が乳児用かご５００の側壁５６０及び後壁５５０に対して位置決めされる。側壁５６０の全高部分は、乳児用かご５００の全幅の合計幅の少なくともの半分まで延びる。挿入物５１０の側面は、ちょうど乳児用かご５００の側壁５６０と同様に、乳児用かご５００の幅の半分まで延びる。そのため、第１の位置において、挿入物が減少した高さセクション５４２及び前壁５４０で十分に重なるときは、それにより、単一の高さの十分な壁を提供し、例えば、乳児用かご５００内で睡眠している又は輸送されている間に、乳児が乳児用かご５００の側面に回転、又は、そうでなければ倒れることを防ぐ。
【００７３】
いくつかの実施形態において、乳児用かご５００は、くぼみ部分５３０内に図３５、図３６Ａ及び図３６Ｂに示される実施形態において、赤のような、鮮やかに色づけられた領域として、図３５、図３６Ａ及び図３６Ｂにおける例示的な実施形態で示される視覚インジケータ５３２を有し、乳児用かご５００がかごフレーム４００内に完全に係合されていないときに、ユーザに視覚表示を提供する。かごフレーム４００内への乳児用かご５００の不整合、不完全、及び／又は不適切な挿入のような例は、例えば、乳児用かご５００がかごフレーム４００内に完全に及び／又は適切に取り付けられていない／配置されていない例を示す図３６Ｂにおいて見られ得る。さらに、安全表示が、１又は複数の乳児用かご５００の外側面及び／又は内側面上に見えるように提供され得る。そのような安全表示は、バシネット１の適切な使用を指示し、例えば、乳児を乳児用かご５００内にうつぶせに配置するような、不適切な使用によってもたらされる危険を警告する印刷物を含み得る。上記のように、乳児用かご５００は、いくつかの実施形態において、乳児用かご５００の底部の外周の周囲に（例えば、くぼみ部分５３０内に）視覚インジケータ５３２を含み得る。示される実施形態において、この視覚インジケータ５３２は、乳児用かご５００と同一平面であり、幅が略１インチであり、かつ、乳児用かご５００がかごフレーム４００内の誤った位置に配置されたとき、かごの外側から、視覚インジケータ５３２のみが見える。この視覚インジケータ５３２は、視覚的な手掛かりとしての機能を果たし、乳児用かご５００をかごフレーム４００内の意図した固定位置に適切に調整する。示される実施形態において、外側のマークは、赤、又はいくつかの他の鮮やかな及び／又は目立つ色であって、乳児用かご５００の不整合、不完全、及び／又は不適切な配置を関して、ユーザから注意と行動を引き出してよい。よい。乳児用かご５００が、少なくとも部分的に半透明な材料及び／又は透明材料な材料で作られる実施形態において、視覚インジケータ５３２は、「乳児を配置して眠らせる」のような、基本的な患者ケア情報をその（例えば、乳児用かご５００の外面に係合された面）内面に統合した状態で、事前に装着されたメッセージボードとしての機能を果たし得る。視覚インジケータ５３２の内部のマークは、白のような中間色であり得る。
【００７４】
図３７〜図４１は、概して６００で示され、乳児用バシネット５００内の様々な取り付け位置に取り付けられるツーピースの挿入物の例示的な実施形態を示す。挿入物６００は、乳児用かご５００のコーナーのうちの少なくとも１つの後壁５５０及び側壁５６０の内部輪郭に適合する輪郭形状を有する。図３７において、挿入物６００は、減少した高さセクション５４２がブロックされないで、かつ、挿入物６００のそれぞれが、（例えば、略同一平面である）乳児用かご５００の後壁及び２つの側壁の１つの少なくとも一部に隣接して配置される第２の位置にある。いくつかの実施形態において、挿入物６００が、乳児用かご５００の減少した高さセクション５４２を含む乳児用かごの任意のコーナーに取り付けられるよう構成され得る。他の実施形態において、挿入物６００が、「鍵付き」又はそうでなければ乳児用かご５００の指定された一対のコーナー内にのみ適合するよう成形されるよう構成され得る。挿入物６００の構成及び乳児用かご５００のどのコーナーにそれらが適合するよう構成されるかにかかわらず、乳児用かごの外周の高さは、連続した高さでないが、代わりに、両方の挿入物６００が第２の位置にあるときに、挿入物６００が前壁５４０に重ならない（例えば、図３８〜図４０参照）前壁５４０の少なくとも一部に沿った減少した高さである。図３８は、乳児用かご５００の上縁５４６及び挿入物６００が挿入物６００が重ならない一部の前壁５４０以外で略連続しているように、挿入物６００が減少した高さセクションをブロックする第１の位置に取り付けられることを示す。図３９及び図４０は、図３９及び図４０のそれぞれにおいて、１つの挿入物６００が第１の位置に取り付けられ、１つの挿入物６００が第２の位置に取り付ける、乳児ベース内の挿入物６００の２つの例示的な構成を示す。図４１は、乳児用かご５００のくぼみ部分（図３１及び図３２の５３０参照）内に位置するマットレス７００とそれ自身のくぼみ部分の壁との間に配置されることによって、第２の位置に保持される挿入物６００を示す。
【００７５】
いくつかの実施形態において、図４２及び図４３の例示的な実施形態に示されるように、照明装置８００（図３６Ｂの５０２も参照）又は複数の装置が、バシネット１に関連して含まれ得る。例えば、１又は複数のＬＥＤ又は他の適した（複数の）照明装置が、乳児用かご５００内に提供されてよく、乳児用かご５００上に提供されてよく、乳児用かご５００内に一体的に形成されてよく、又は乳児用かご５００に取り外し可能に結合されてよい。いくつかの実施形態において、（複数の）照明装置８００は、同様に、乳児用かご５００の照明装置８００のいずれかの代わりに、又はそれに加えて、かごフレーム４００に組み込まれてよく、又はかごフレーム４００に取り付けられてよい。（複数の）照明装置８００は、乳児用かご５００内のレセプタクル内に収容されるバッテリを介して、又は、かごフレーム４００上の対応する電気接点と接続する乳児用かご５００上の電気接点を介して電力が提供され、バシネット１上の他の場所（例えば、ベース１００上、アーム３００上、又はかごフレーム４００上）に位置決めされた電源（例えば、再充電可能なバッテリ）から電力を（複数の）照明装置８００に提供できる。（複数の）照明装置８００は、例示的な実施形態において、乳児用かご５００内に配置された乳児の上方に配置され得、乳児用かご内で駆動されると選択的な照光を提供し、夜のような暗い期間の間のユーザによる安全で快適な乳児の取り扱いを促進する。照明装置８００によって生成される光の強度は、例えば、強度ノブを回転することによって、又は複数の予め設定された照度閾値のうちの１つに照明装置を設定するよう構成される１又は複数のボタンを係合する／押すことによって、ユーザによって制御されてよく、その結果、乳児の睡眠が照明装置８００をつけることによって乱されない。いくつかの実施形態において、照明装置８００は、乳児用かご内で睡眠している間、乳児の顔が位置するだろう乳児用かごの領域から離れて、乳児用かご５００の中央領域８１０に生成した光を向けるよう構成され得る。
【００７６】
本明細書で説明された実施形態が単に例示的なものであり、限定するものではない。本明細書で説明されたシステム、装置、及びプロセスの多くの変形及び変更が可能であり、本開示の範囲内である。したがって、保護範囲が本明細書で説明された実施形態に限定されないが、以下の特許請求の範囲によってのみ限定され、その範囲は、特許請求の範囲の主題の全ての均等物を含むであろう。
【図１】
2020534048.tif 000003
【図２】
2020534048.tif 000004
【図３】
2020534048.tif 000005
【図４】
2020534048.tif 000006
【図５】
2020534048.tif 000007
【図６】
2020534048.tif 000008
【図７】
2020534048.tif 000009
【図８】
2020534048.tif 000010
【図９】
2020534048.tif 000011
【図１０】
2020534048.tif 000012
【図１１】
2020534048.tif 000013
【図１２】
2020534048.tif 000014
【図１３】
2020534048.tif 000015
【図１４】
2020534048.tif 000016
【図１５】
2020534048.tif 000017
【図１６】
2020534048.tif 000018
【図１７】
2020534048.tif 000019
【図１８】
2020534048.tif 000020
【図１９】
2020534048.tif 000021
【図２０】
2020534048.tif 000022
【図２１】
2020534048.tif 000023
【図２２】
2020534048.tif 000024
【図２３】
2020534048.tif 000025
【図２４Ａ】
2020534048.tif 000026
【図２４Ｂ】
2020534048.tif 000027
【図２４Ｃ】
2020534048.tif 000028
【図２４Ｄ】
2020534048.tif 000029
【図２４Ｅ】
2020534048.tif 000030
【図２５】
2020534048.tif 000031
【図２６】
2020534048.tif 000032
【図２７】
2020534048.tif 000033
【図２８】
2020534048.tif 000034
【図２９】
2020534048.tif 000035
【図３０Ａ】
2020534048.tif 000036
【図３０Ｂ】
2020534048.tif 000037
【図３０Ｃ】
2020534048.tif 000038
【図３０Ｄ】
2020534048.tif 000039
【図３１】
2020534048.tif 000040
【図３２】
2020534048.tif 000041
【図３３】
2020534048.tif 000042
【図３４】
2020534048.tif 000043
【図３５】
2020534048.tif 000044
【図３６Ａ】
2020534048.tif 000045
【図３６Ｂ】
2020534048.tif 000046
【図３７】
2020534048.tif 000047
【図３８】
2020534048.tif 000048
【図３９】
2020534048.tif 000049
【図４０】
2020534048.tif 000050
【図４１】
2020534048.tif 000051
【図４２】
2020534048.tif 000052
【図４３】
2020534048.tif 000053
【国際調査報告】
2020534048.tif 000054
2020534048.tif 000055